(57)【要約】【課題】長時間着用しても補整用衣料の一部のみが身体を強く圧迫して部分的に痛みが生じるようなことがない、補整用衣料に適した素材を提供することを目的とする。【解決手段】伸縮性を有する伸縮性素材を使用する衣料において、直交するＸ軸方向Ｙ軸方向において伸縮性が異なる二枚の同一の生地を、伸縮性の方向をずらせて積層して使用する補整衣料用生地である。二枚の伸縮性生地は、伸縮性の方向を３０度から９０度の範囲内でずらせて積層し、斜め方向の伸縮性を有する積層生地とする。【選択図】図１
0003151446.tif 000002
【実用新案登録請求の範囲】
【請求項１】
直交するＸ軸方向Ｙ軸方向において伸縮性が異なる二枚の同一の生地を、伸縮性の方向をずらせて積層し、積層された部分の生地を使用することを特徴とする補整衣料用生地。
【請求項２】
二枚の伸縮性生地を伸縮性の方向を３０度から９０度の範囲内でずらせて積層することを特徴とする請求項１に記載の補整衣料用生地。
【請求項３】
二枚の伸縮性生地を、伸縮性の方向を９０度ずらせて積層し、Ｘ軸方向、Ｙ軸方向に対してそれぞれ４５度で交差する方向の伸縮性を有する積層された生地とすることを特徴とする請求項１又は請求項２に記載の補整衣料用生地。
【請求項４】
伸縮性生地の伸縮性方向の角度をずらせて積層した積層部分の生地を、接着せずに使用することを特徴とする請求項１乃至請求項３に記載の補整衣料用生地。
【請求項５】
伸縮性生地の伸縮性方向の角度をずらせて積層された積層部分の生地を、点接着して使用することを特徴とする請求項１乃至請求項３に記載の補整衣料用生地。 
【考案の詳細な説明】
【技術分野】
【０００１】
本考案は、人体に直接又は間接的に沿う状態で着用される補整衣類等に使用する伸縮性を有する素材に関する。
【背景技術】
【０００２】
衣料、特に婦人用の人体に直接又は間接的に沿う状態で着用される補整衣類、例えばガードル、キャミソール、ウェストニッパー等の補整衣料においては、伸縮性を有する素材が用いられることが多い。しかしながら、整形用衣料においては、整形または補整効果を得るため、部分的に伸縮性の強い部分、もしくは伸縮性のない部分を設けることが必要となる。
【０００３】
ガードルは、通常ウエスト部位から下方の下腹部、即ち、腰部、腹部、臀部、大腿部などの外観を美しく整える目的で使用されている。近年、美容上の目的のみでなく、骨盤の歪みやズレ、骨盤を支える筋肉の衰えによる腰痛、急に強い腰痛を起こすギックリ腰、椎間板ヘルニア等の予防、痛みの軽減を目的とする骨盤押さえガードルが注目を集めている。そのようなガードルとして幾つかの提案がなされているが、従来の骨盤安定用ベルトやガードルは、着用したまま日常生活を過ごすには、着脱時や用をたす時に、止め具をはずしたり、掛けたりする手間が必要だったり、着用に際して身体との間に違和感が生じ、使用をためらうものが多かった。
【０００４】
そこで、体型補正機能または筋肉サポート機能を有する衣類に地編を非弾性糸とし、弾性糸を挿入もしくは編み込む経編地によって地編みの表側にあらわれる編み組織の変化により、緊迫力の強い部分と緊迫力の弱い部分を設けて、筋肉サポート機能を持たせたガードル、ブラジャー、スポーツタイツ等が提案されている（特許文献１）。また、編地により高伸縮性部分と低伸縮性部分とを設けたガードルも知られている（特許文献２）。また、伸縮性を変えた編地を、身頃を構成する各部材に切断し、縫製することは多数の工程を必要とする。一方、編地の変化ではなく、ガードルの身生地上に、身生地より伸縮性の強い帯状の布を、上部骨盤押さえ布と下部骨盤押さえ布との二本を用い、後腰中心線において逢着したガードルが提案されている（特許文献３）。しかしながら、これらの骨盤押さえ布は、後部中央臀裂部において、身生地と共に縫着されている。このように、二本の伸縮性の強い緊締布をガードル上に縫着し、緊締力を分散させても、緊締力の強い部分の皮膚及び皮下脂肪層が緊締力の弱い部分へと移動して、血液の流れが阻害されて、痒みを生じたりする欠点があった。
【先行技術文献】
【特許文献】
【０００５】
【特許文献１】特許第３０２３３５４号公報
【特許文献２】特開平９−３２４３０４号公報
【特許文献３】特開平１０−８３０３号公報
【考案の概要】
【考案が解決しようとする課題】
【０００６】
本考案は、体型補整機能を有する衣料において、編地の変更、伸縮性糸の部分的挿入等の複雑な編成作業や、伸縮性を変えた生地の切断後における複数工程にわたる縫製を必要とせず、製造が簡単である衣料であり、長時間着用しても補整用衣料の一部のみが身体を強く圧迫して部分的に痛みが生じるようなことがない、補整用衣料に適した素材を提供することを目的とする。即ち、本考案の生地は、補整用衣料の主要部、補整部片及び衣料の他の部分全体を、同一の生地で構成し、しかも衣料の必要部分に伸長力を変化させて使用することにより、身体に適度な緊締力を与えて姿勢を正しく保ち、特定部分の血行を妨げることのない衣料用素材を提供する。
【課題を解決するための手段】
【０００７】
本考案は、伸縮性を有する伸縮性生地を使用する衣料において、直交するＸ軸方向Ｙ軸方向において伸縮性が異なる二枚の同一の生地を、伸縮性の方向をずらせて積層し、積層部分を緊締力の必要な部分に使用する補整衣料用生地である。二枚の伸縮性生地を伸縮性の方向を３０度から９０度の範囲内でずらせて積層することができるが、伸縮性の方向を９０度ずらせて積層し、Ｘ軸方向、Ｙ軸方向に対してそれぞれ４５度で交差する方向の伸縮性を有する積層部分とすることが最も好ましい。積層部分は、接着せずに使用することが望ましいが、熱可塑性樹脂により点接着して使用することも出来る。
【考案の効果】
【０００８】
本考案の生地は、補整用衣料の主要部、補整用部片及び衣料の他の部分全体を、同一の生地で構成するものであるので肌触りが均一な衣料とすることができ、しかも衣料の必要部分に伸長力を変化させた生地を使用することにより、身体に適度な緊締力を与えて姿勢を正しく保ち、特定部分の血行を妨げることのない衣料用生地である。本考案によれば、編地の変更、伸縮性糸の部分的挿入等の複雑な編成作業や縫製を必要とせず、長時間着用しても補整用衣料の一部のみが身体を強く圧迫して部分的に痛みが生じるようなことがない。
【図面の簡単な説明】
【０００９】
【図１】図１は、本考案の補整衣料用生地の構成を示す説明図である。図１Ａ、図１Ｂは、伸縮性方向Ａを有する生地を示し、図１Ｃは、二枚の生地を９０度ずらせて重ねた状態を示し、図１Ｄは、図１Ｃにおいて積層された部分より切り取られた積層生地を示す。
【図２】図２は、図１に示した補整衣料用生地を使用した実施の一例を示すガードルの正面図である。
【図３】図３は、図２に示したガードルの背面図である。
【考案を実施するための形態】
【００１０】
本考案は、直交するＸ軸方向Ｙ軸方向において伸縮性が異なる同一の生地を使用し、同一の生地を複数枚（偶数枚が好ましい）積層して補整衣料用生地として使用するものであり、使用に当たっての生地の積層は、複数枚の生地の方向を伸縮性の方向が異なるようにして行う。以下においては、伸縮性が異なる同一の生地を二枚使用する場合について説明する。即ち、例えば、図１Ａ及び図１Ｂに示すＡ―Ａ方向の伸縮性を有する同一の生地１，２を、伸縮性方向を９０度ずらして図１Ｃに示すごとく積層すると、生地１，２の積層された部分３から切り出された積層生地４の伸縮性は、生地１，２の有する伸縮性により、Ｘ軸方向、Ｙ軸方向に対して４５°傾いた直交する斜め二方向への伸縮性を有する生地となる（図１Ｄ参照）。この二枚の生地１，２の交差部分３より得られた積層された積層生地４を、補整用衣類の緊締が必要な身頃、あるいは、緊締必要部分の部片として使用することができる。積層生地４よりなる部片は、該部片自体が４５度の方向を有して左下から右上方向、右下から左上方向にそれぞれ張力を発揮する部材となる。即ち、交差方向への張力を作用させることが可能な部材となる。
【００１１】
上記のように、交差された二枚の伸縮性地１，２を積層してなる積層生地４を使用することにより、積層生地４自体による交差する方向への張力を利用する衣料を得る事ができる。該衣料は、通常の身頃にテープ状の素材を貼り付けたりすることなく積層生地４自体の緊締力を発揮させることにより構造が複雑にならず、他の部分にも同一素材を使用して補整衣料を構成することができるので着用感に優れ、外観上も好ましい補整衣料が得られる。
【００１２】
上記同一の方向に伸縮性を有する生地を、角度をずらして積層する場合の角度については、３０度から９０度の範囲でずらして積層することができる。９０度でずらせた場合は、積層された二枚の生地それぞれが左右対称に垂直方向に対して斜め４５度に傾いた状態の伸縮性を有するため、この積層生地４を衣類の垂直方向（Ｙ−Ｙ軸方向）に用いて必要とされる緊締部材を切り出すことにより、クロス方向への均等な伸縮性を発揮させることが出来る。
【００１３】
積層された二枚の積層生地４は、接着をせずに使用することでその特性を最大に発揮させることが出来る。しかしながら、取り扱い上、部分的に点接着をしても、全面接着しても素材の伸縮性傾斜方向への張力を発揮させることが可能である。即ち、本考案による積層された生地４は、積層前の各伸縮性地１，２それぞれが経方向Ａ−Ａに有する引っ張り力に較べて、大きな張力を得ることが可能となった。また、積層枚数も、二枚以上を積層することも可能である。更に、伸縮性生地として表面に凹凸や、畝を有する生地を使用する場合は、凹凸や、畝を有する表面同士を対向させて重ね合わせることで、重ね合わせた二枚の伸縮性生地の過剰な滑りや妄動を抑えることも出来る。
【００１４】
本考案による伸縮性の大きい補整衣料用生地は、ガードル、ボディスーツ、水着、レオタード、ブラジャー、スパッツ、ハーフトップ、キャミソールなど広い分野の衣料において、身頃、緊締用部片等として、伸縮性方向を任意角度に交差させた交差部分から切裁して使用するものである。したがって、特殊な編成機、糸張力調整装置等を必要としない。以下に実施の一例としてガードルを作成する場合について説明する。
【００１５】
以下に説明するガードルは、本考案による積層生地４の使用例を示すものであって、本考案は該ガードルの構造に限定されるものではない。
図２はガードルの正面図を示す。ガードル本体５は、裏側に裏布を添着した腹部前当布６、伸縮性素材よりなり腹部前当布６の上部に縫着され、ウエスト下前身頃上部から連続して脇線を通り後腰サポート布９の上部両端に至る上部脇布７，７、腹部前当布６の下部に縫着され、連続して脇線を通り上部脇布７の下縁と接合して上部脇布７と共に後腰サポート布９の下方両端に接合される下部脇布８，８、及び後腰サポート布９とよりなる。本実施例においては、ガードルを形成している部片は、いずれも伸縮性の生地で構成することが望ましい。特に、ガードルの裾口端縁１０、１０は、切りっぱなしで形成できるような生地を選択することによって、よりソフトで着心地のよいガードルとする事ができる。１１は、腹部前当布６の下部より股下に設けられるクロッチ布を示す。ガードルの上端のウエスト部１２は、常法により伸縮性テープ等を縫着して処理する。
【００１６】
上記ガードルの後腰サポート部９には、本考案による積層生地４を使用している。即ち、直交するＸ軸方向Ｙ軸方向において伸縮性が異なる二枚の同一の生地を、伸縮性の方向Ａ−Ａを９０度ずらして積層すると、積層部３から切り出された積層生地４の伸縮性は、積層された二枚の生地の有した伸縮性がそれぞれ発揮され、４５度の斜め方向への伸縮性を有する素材となる。この積層生地４を使用してガードルの後腰サポート部９としているため、ガードルを着用する際には、後腰サポート部９の有する伸縮力により臀部が左下から右上へ、右下から左上への引っ張り力を受ける。そのために、腰部は適度な張力で保持され、臀部が引き上げられる効果を発揮する。しかも、この積層生地４は接着されていないため、各方向への引っ張り強度の自由度が大きく、一箇所に力がかかることがないので窮屈感なく着用することができる。
【００１７】
本考案による生地は、補整用衣料の主要部、補整部片及び衣料の他の部分全体を、同一の生地で構成するものであるので肌触りが均一な衣料とすることができ、しかも衣料の必要部分に伸長力を変化させて使用することにより、身体に適度な緊締力を与えて姿勢を正しく保ち、特定部分の血行を妨げることがない。更に、編地の変更、伸縮性糸の部分的挿入等の複雑な編成作業や縫製を必要とせず経済的である。
【符号の説明】
【００１８】
１、２  生地
３  積層部分
４  積層生地  
５  ガードル本体
６  腹部前当布
７  上部脇布
８  下部脇布
９  後腰サポート布
１０  裾口端縁
１１  クロッチ布
１２  ウエスト部
Ａ−Ａ  生地の有する伸縮性方向
【図１】
0003151446.tif 000003
【図２】
0003151446.tif 000004
【図３】
0003151446.tif 000005
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
直交するＸ軸方向Ｙ軸方向において伸縮性が異なる二枚の同一の生地を、伸縮性の方向をずらせて積層し、積層された部分の生地を使用することを特徴とする補整衣料用生地。
【請求項２】
二枚の伸縮性生地を伸縮性の方向を３０度から９０度の範囲内でずらせて積層することを特徴とする請求項１に記載の補整衣料用生地。
【請求項３】
二枚の伸縮性生地を、伸縮性の方向を９０度ずらせて積層し、Ｘ軸方向、Ｙ軸方向に対してそれぞれ４５度で交差する方向の伸縮性を有する積層された生地とすることを特徴とする請求項１又は請求項２に記載の補整衣料用生地。
【請求項４】
伸縮性生地の伸縮性方向の角度をずらせて積層した積層部分の生地を、接着せずに使用することを特徴とする請求項１乃至請求項３のいずれか一項に記載の補整衣料用生地。
【請求項５】
伸縮性生地の伸縮性方向の角度をずらせて積層された積層部分の生地を、点接着して使用することを特徴とする請求項１乃至請求項３のいずれか一項に記載の補整衣料用生地。